(57)【特許請求の範囲】
【請求項１】
歯科技工によって作られた個別のプレパレーション模型（２２）を保持するための保持装置（５６）であって、前記保持装置（５６）は、機械的に安定したフレーム（１０）と、前記フレーム（１０）を測定機に締付けるための手段（１６）とを有し、前記フレーム（１０）に、複数の孔（１２、４２）と、少なくとも二つの保持ピン（１８）と、前記保持ピン（１８）を前記フレーム（１０）に固定するための手段（２０、３４、４４、５０）とを設け、前記保持ピン（１８）は、それぞれ、前記フレーム（１０）の該当する孔（１２、４２）に配置されて、前記保持ピン（１８）が前記プレパレーション模型（２２）に係合するまで、前記保持ピン（１８）の軸方向（Ａ）に変位可能に位置し、前記保持ピン（１８）は、それぞれ、端面を有し、前記端面には、前記保持ピン（１８）を前記プレパレーション模型（２２）に連結するために、結合剤（３４）が塗布され、前記結合剤（３４）を用いて前記保持ピン（１８）を前記プレパレーション模型（２２）に連結し、かつ、前記固定するための手段（２０、３４、４４、５０）を用いて前記保持ピン（１８）を前記フレーム（１０）に固定することにより、前記プレパレーション模型（２２）が前記フレーム（１０）に堅固にかつ応力なしに固定される位置に、前記保持ピン（１８）を固定することを特徴とする、保持装置（５６）。
【請求項２】
請求項１に記載された保持装置（５６）において、前記フレーム（１０）は、閉じた形、又は、前記プレパレーション模型（２２）の寸法にわたって実質的に延在する側部を有するＵ字形に設計されていることを特徴とする、前記保持装置（５６）。
【請求項３】
請求項１又は２に記載された保持装置（５６）において、前記フレーム（１０）は、正方形又は長方形に設計されていることを特徴とする、前記保持装置（５６）。
【請求項４】
請求項１乃至３のうちのいずれか一項に記載された保持装置（５６）において、前記孔（１２）は、前記フレーム（１０）の該当部分の内面（１４）に対して垂直な方向に延在することを特徴とする、前記保持装置（５６）。
【請求項５】
請求項１乃至４のうちのいずれか一項に記載された保持装置（５６）において、前記保持ピン（１８）は、真っ直ぐに形成され、又は、前記プレパレーション模型（２２）の領域で曲成され、前記保持ピン（１８）の端面には、前記結合剤（３４）として、ワックス、接着剤又は光硬化性模型用プラスチック材料が塗布されていることを特徴とする、前記保持装置（５６）。
【請求項６】
請求項１乃至５のうちのいずれか一項に記載された保持装置（５６）において、前記保持ピン（１８）の真っ直ぐな領域の少なくとも一部は雄ねじ（２８）を有し、かつ、これに対応する孔（１２）は雌ねじを有し、前記固定するための手段（２０、３４、４４、５０）として、前記フレーム（１０）に固定ねじ（２０、４４、５０）及び／又は結合剤（３４）が設けられていることを特徴とする、前記保持装置（５６）。
【請求項７】
請求項１乃至６のうちのいずれか一項に記載された保持装置（５６）において、前記フレーム（１０）は、少なくとも部分的に二部品からなるように設計され、前記二部品は、固定された案内レール（４６）と、固定可能なスライド（４８）で構成され、前記スライド（４８）は、前記保持ピン（１８）用の少なくとも一つの孔（４２）を有することを特徴とする、前記保持装置（５６）。
【請求項８】
請求項７に記載された保持装置（５６）において、ダブテール形、Ｉ字形又はＴ字形の前記固定された案内レール（４６）上を縦方向に変位可能な前記スライド（４８）は、固定可能でかつ旋回可能な円柱（５２）、又は、前記保持ピン（１８）用の孔（４２）を有しかつ対応する継手ソケット（３８）内に配置された玉継手ヘッド（３６）を有することを特徴とする、前記保持装置（５６）。
【請求項９】
請求項７に記載された保持装置（５６）において、前記保持ピン（１８）用の少なくとも一つの孔（４２）を有し、中空円柱状で回転可能なスライド（４８）が、円柱状に設計された前記固定された案内レール（４６）に配置されていることを特徴とする、前記保持装置（５６）。
【請求項１０】
請求項１乃至９のいずれか一項に記載された保持装置（５６）にプレパレーション模型（２２）を位置決めする方法において、前記測定機の外側で前記プレパレーション模型（２２）を前記フレーム（１０）に固定するための保持ピン（１８）の数と位置とを確定し、前記保持ピン（１８）を該当する前記孔（１２、４２）に挿入して、前記保持ピン（１８）の端面に塗布された結合剤（３４）を用いて前記保持ピン（１８）を前記プレパレーション模型（２２）の表面に設置し、前記結合剤（３４）を用いて前記保持ピン（１８）を前記プレパレーション模型（２２）に連結し、かつ、前記固定するための手段（２０、３４、４４、５０）を用いて前記保持ピン（１８）を前記フレーム（１０）に固定することにより、前記プレパレーション模型（２２）が前記フレーム（１０）に堅固にかつ応力なしに固定される位置に、全ての前記保持ピン（１８）を固定することを特徴とする、前記方法。
【発明の詳細な説明】
【０００１】
本発明は、歯科技工によって作られた個別の義歯または基礎フレーム枠の模型を保持するための保持装置に関し、機械的に安定したフレームと、このフレームを測定機に締付けるための手段とを有する、保持装置に関する。本発明は、更に、この種の模型を保持装置に位置決めする方法に関する。
【０００２】
以下、プレパレーション模型と呼ぶ義歯または基礎フレーム枠の模型は、異なる形状と寸法を有する。これらは、主として模型用ワックスまたは模型用プラスチックからなる。工業的に製造されたブランクから手動式、半自動式または自動式の製造装置を使って歯の修復のための義歯または基礎フレーム枠を加工するにはこれらを測定する必要がある。歯の修復物は、例えば、その上にポーセリン、セラミックまたはプラスチック製の更なる層をつけた耐負荷基礎フレーム枠を含む歯冠および橋義歯である。基礎フレーム枠は個別製造であり、患者のために個別に一回だけ通常の手順で作られるのが普通である。基礎フレーム枠のほかに、ポーセリン、セラミックまたはプラスチック製の層をすでに含む義歯の場合も同様である。
【０００３】
患者のために個別に作られるプレパレーション模型は、長さ、幅、および個々の部品の位置決めに関して、種々異なる。それらは、解剖学的条件によって頭蓋−尾部および頬−口蓋のいずれの方向にも異なった曲がり方をする。基礎フレーム枠は、歯冠用の小キャップからなる。これらには、完全にまたは部分的にコーティングされた、窩洞を形成する内側と外側がある。窩洞の内側は、歯科医が整復した自然歯、残歯根、または、例えばインプラントのような人工歯根の上に正確に適合する。橋義歯は、複数の連結した要素からなり、その少なくとも一つは小キャップとして設計され、その他は橋義歯および／または延長部材として設計される。窩洞それ自体には、歯の修復物を全体として整復した歯の上に置けるように、他の窩洞と並ぶアンダーカットがあってはならない。
【０００４】
プレパレーション模型を測定する場合は、プラスター模型を測定する場合に比べて、歯科技工士が今まで通り手慣れた器具を使って物理的模型を設計しこれに接近することができるという点で、重要な利点がある。このように複雑な形状の対象物の場合、視覚や触覚による印象が極めて重要である。測定データを計算機に補足することは、歯科技工士に対して同様な手慣れた印象を与えないので、彼の抽象力や想像力に対して遙かに挑戦的である。プレパレーション模型をワックス、プラスチック材料あるいは他の加工の容易な材料から作ることは、歯科技工において一般的な専門知識および取扱い指針として知られており、従って先行技術である。この技術、特に鋳造方法の技術は、例えば一般の鋳造やホットプレスの技術でも使用されている。このようなプレパレーション模型を測定するには、模型を測定機内に、好ましくはその回転軸上に固定する必要がある。
【０００５】
プレパレーション模型は、言い換えれば、特に歯冠および橋義歯用の基礎フレーム枠のための模型は、歯科技工においてすでに頻繁に使用されてる。プレパレーション模型は、鋳造法およびホットプレス法によって形成され、例えば基礎フレーム枠の陰型鋳型は耐火性の鋳型で作られる。陰型鋳型は、その後歯科材料で充填される窩洞を表す。ここでは、これらの方法について考慮しない。
【０００６】
他の方法としては、プレパレーション模型をディジタルに測定するか、あるいは機械的連結によって測定しながらプレパレーション模型の鋳型を加工工具へ伝送する方法がある。この種の方法は、全てプレパレーション模型に適した保持装置を必要とする。
【０００７】
ＤＥ、Ｃ１  １９９１６１４８には、操作手段、とりわけ歯科技工における模型を保持するユニバーサルホルダーの記述がある。ホルダー内の硬質かつ変形可能な部品の組合せによって、いかなる調整角度も達成可能である。変形可能な部品は、クッションのように設計され、可逆的に変形しうる表皮を有し、表皮には細粒が充填される。これによって、機械加工の際に、特に歯型および歯科技工模型の鋳造の際に工作物の片手による空間的な定位が可能になる。
【０００８】
ＰＣＴ／ＣＨ  ００／００６２３には、プレパレーション模型を測定し、基礎フレーム枠、特に精密な３次元的設計の歯冠および橋義歯のための基礎フレーム枠を作る自動工作機械について記載がある。この工作機械は、片側にブランクを支持し他の側にプレパレーション模型を支持するための回転軸を有する機械フレームまたは機械ハウジングと、少なくとも１つの機械加工装置と、少なくとも１つの測定装置またはディジタル化装置と、全駆動要素のための電子計算機能を有する制御装置とからなる。機械加工装置と測定装置のために、ｘ、ｙおよびｚ方向の３つの並進軸を有する移動装置が形成される。プレパレーション模型のディジタル化およびブランクの機械加工は同じ工作機械で異なる時間に行われる。ブランクを機械加工する前に、決定・記憶されたディジタル化データ、あらかじめ設定される材料固有の倍率、および工具の形状寸法からブランクの機械加工経路が計算される。
【０００９】
先行技術を一覧して、歯科プレパレーション模型用の納得できる特定の保持装置が知られていないことを確認できる。初歩的な補助解決策があるに過ぎない。
【００１０】
従って、本発明の目的は、冒頭に述べた種類の、プレパレーション模型の個別性とその複雑な形状を特に考慮に入れた保持装置を提供することである。プレパレーション模型はアンダーカットなしに固定可能でなければならない。更に、保持装置内にプレパレーション模型を位置決めする方法を提供する。
【００１１】
装置に関して、本発明によって次のようにして目的が達成される。保持装置は、間隔をおいて配列された孔を有する機械的に安定なフレームを含み、該フレーム内に少なくとも２個の軸方向に変位可能な保持ピンがロックされ、該保持ピンは端面で結合剤によってプレパレーション模型に結合され、プレパレーション模型は規定の位置にアンダーカットなしに位置合わせされ、それを堅くかつ緊張なしにフレームに固定し、装備したフレームは滑動・回転しないように機械側面の締付けアダプターによって測定機内に締め付けることができる。保持装置の特殊なおよび更なる実施態様は、従属クレームの主題である。
【００１２】
保持ピンの位置と数は、当業者の経験および／または最適化の計算によって確定される。これらは、特にプレパレーション模型の形状と寸法に依存する。プレパレーション模型に関する前記の位置は、締付けアダプターおよび、例えばフラットによって規定される。
【００１３】
経験および／または計算は更に、後にまたは同時にブランクから加工される工作物の保持ウェブの位置と寸法入れが保持ピンの測定によっても確定されることを有利に考慮に入れる。機械加工の際に、このブランクをしっかりと保持する必要がある。
【００１４】
本発明で使用されるフレームは、異なる形状、幅、長さおよび断面形状で設計してもよい。このフレームは、設計上、閉じた形でもＵ字形でもよく、両側はプレパレーション模型の全長にわたって延びているのが好ましい。
【００１５】
フレームは、適当に、金属（例えばアルミニウムまたはアルミニウム合金）または機械的に硬質なプラスチック材料（例えばＭａｃｒｏｌｏｎ）からなる。プレパレーション模型用の保持ピンの材料は、同じ材料または機械的に硬質なプラスチック材料でよい。
【００１６】
正方形または長方形に設計された堅いフレームの場合、孔は、一般的には規則的な間隔を置いて、好ましくはフレーム全体にわたって分布するように配列される。プレパレーション模型を保持する重要な場所には、複数の孔をあけてもよい。
【００１７】
孔の縦軸は、基本的にフレームの中心面上に延びており、それぞれの場合、フレームの該当部分の内面に対して適当に垂直に延びている。明らかに、孔の縦軸は、個別に位置してもよいし、あるいは前記平面の外側に群をなして位置してもよいし、および／または斜めに配列してもよい。
【００１８】
フレームとプレパレーション模型との間隔を最適に橋わたしするように、保持ピンがその縦軸に沿って自由に変位できることが本質的に重要である。
【００１９】
好ましくはフレームに対して平行または垂直な縦軸を有する旋回可能な円柱または玉継手ヘッドをフレーム内の１箇所以上の位置に、それぞれの場合、少なくとも１個の位置決め可能な保持ピンで取り付けることができる。
【００２０】
より複雑なプレパレーション模型の場合、フレームを、少なくとも１個の、例えば断面をダブテール形、Ｉ字形またはＴ字形に設計した固定案内レールと、その上を滑る少なくとも１個のロック可能なスライドとを有しかつ少なくとも１個の保持ピン用の孔を有する少なくとも部分的に２部型に設計すれば有利である。このように、フレームに沿った孔の位置決めは特定の位置だけである必要がなく、連続的に調節可能であってよい。
【００２１】
更なる発展によれば、好ましくはフレームに対して平行または垂直な縦軸を有する旋回可能な円柱を、上記のように形成されるスライド内に形成することができる。
【００２２】
少なくとも１つの孔を有する少なくとも１個の回転可能でかつ縦方向に変位可能な中空円柱形スライドを、円柱形の固定案内レール上に配置することもできる。従って更なる自由度が得られ、保持ピンはフレームの１方向に変位するだけでなく、それに対して垂直に旋回することもできる。
【００２３】
最後に、第３の変形によれば、保持ピンが縦方向に変位できるだけでなくどの方向にも旋回できるように、少なくとも１個の玉継手ヘッドを１個以上のスライドに取り付けることができる。
【００２４】
スライドや旋回円柱および玉継手ヘッドはいずれも公知の手段、特に固定ねじでどの位置にでもロックできる。
【００２５】
プレパレーション模型を保持装置内に位置決めする方法に関する本発明の目的は、次のようにして達成される。測定機の外側でフレームにプレパレーション模型を固定するための保持ピンの数と位置を確定し、ピンを該当する孔に案内し、端面に結合剤を塗布してプレパレーション模型の表面に置き、全ての保持ピンとプレパレーション模型をフレーム内に固定する。結合剤が硬化した後、プレパレーション模型が装備された保持装置の覆いを取って露出させる。その後、保持装置を測定機内の既定の位置に締め付けることができる。
【００２６】
本発明にとって、保持ピンをプレパレーション模型の表面に押しつけず、応力が発生しないよう圧力をかけずに置くことが本質的に重要である。
【００２７】
フレームの該当部分に若干のワックスまたは接着剤をたたき塗りすることによって、特に簡単で従って有利な保持ピンの固定が行われる。更に、全ての固定ねじおよび同様な締着手段が締め付けられる。
【００２８】
既に述べたように、プレパレーション模型は保持ピンと一緒に測定される。最初に、プレパレーション模型の片側を測定し、次に測定機の回転軸に締め付けられた保持装置を回わして、プレパレーション模型の今ひとつの側を測定またはディジタル化する。
【００２９】
本発明の保持装置には、複数の利点がある。
−  プレパレーション模型の保持位置を変えることができるから、プレパレーション模型の個別性を完全に考慮に入れることができる。
−  アンダーカットを生じないようにプレパレーション模型の位置合わせを測定機の外側で行うことができるので、視界や動きが制限されることによって位置合わせが妨げられることがない。
−  プレパレーション模型を取り外した後、保持装置を再び使用できる。
【００３０】
本発明を、図に示す実施例に従って更に詳細に説明する。これらは従属クレームの主題でもある。
図１は、閉じた形のフレームの透視図である。
図２は、開いた形のフレームの図である。
図３は、プレパレーション模型を伴う閉じた形のフレームである。
図４は、図３の側面断面図である。
図５は、フレームに挿入された保持ピンの切断図である。
図６は、図５の１変形である。
図７は、図５の更なる変形の平面断面図である。
図８は、玉継手を有するフレームの断面図である。
図９は、２部型フレームの断面図である。
図１０は、図９の１つの図である。
図１１は、２部型フレームの１変形の断面図である。
図１２は、フレームの縦中心面に沿った部分断面図である。
図１３は、図１２のＸＩＩＩ−ＸＩＩＩの断面図である。
図１４は、図１２の１変形である。
図１５は、図１４のＸＶ−ＸＶの断面図である。
【００３１】
図１は、本発明による保持装置の閉じた形のフレーム１０を示す。フレーム１０は、アルミニウム合金からなり、機械的に安定である。保持ピン（図１に示さない）用の孔１２は、規則的間隔ａをおいて、長方形の基本形を有するフレーム１０の全周にわたって設けられている。孔１２は、フレーム１０の内面１４に垂直に延び、孔の縦軸Ａは、フレームの中心面上に置かれる。締付けアダプター１６は、フレーム縦側の中心の位置で機械側にフランジ付けされる。この締付けアダプター１６は、滑りや回転に対して確保するように測定機（示さない）の回転軸上の特定の位置に締着される。１変形によれば、締付けアダプター１６は、フレーム１０の狭い側の中心にフランジ付けされる。
【００３２】
図２は、開いた、実質的にＵ字形のフレーム１０を示す。フレーム１０の両側は、閉じた形のフレームの狭い側とほぼ同じ長さである。破線で示したフレームの孔１２には、２個の保持ピンが異なる深さで挿入され、それぞれ固定ねじ２０で締着される。有効な力が少ないため、フレームを設計上非常に堅くする必要がない。図２の開いた形のフレーム１０は、改善された接近性と、非常に曲がったプレパレーション模型を受け入れる可能性をも提供する。場合によっては、保持ピン１８の位置決めが、閉じた形のフレーム１０に比べて僅かに制約される。回転防止装置１７は、締付けアダプター１６の上に提供され、フラットまたはボルトの形に設計され、それによってアンダーカットのない保持装置の位置の予定されたマーキングの役をする。
【００３３】
図３は、ワックスで個別的に作られた３要素プレパレーション模型２２（この場合、３個の円柱状保持ピン１８で長方形のフレーム１０内に締着された基礎フレーム枠模型）を示す。フレームは、この場合、プラスチック材料からなり、長さが５０ｍｍ、幅が３０ｍｍであり、長さ４２ｍｍ、幅２２ｍｍの長方形の開口を有する。フレームの断面は、高さが６ｍｍ、幅が４ｍｍである。フレーム１０の狭い側には５個の貫通孔１２が形成され、締付けアダプター１６の縦側には６個の孔１２が形成され、対向する縦側には７個の孔１２が形成される。それぞれの孔は、直径が１．２５ｍｍである。プラスチック材料で作られた直径１．２ｍｍの３個のまっすぐな円柱状保持ピンが３つの予定された孔１２に押し通される。フライス工具が表面を潜在的に一方向、その加工方向、から機械加工できるように、最初にプレパレーション模型２２をアンダーカットを生じないように位置合わせする。プレパレーション模型２２の位置合わせは、好ましくは、その窩洞２４で行う。表面のこの部分が最も難しくかつ品質を決定する部分だからである。プレパレーション模型２２はこの位置あわせした位置に正確に保持され、保持ピン１８と開口を有するフレーム１０がプレパレーション模型２２の上に置かれる。保持ピン１８は、端面に塗布した結合剤３４（ワックス）がプレパレーション模型２２に触れるまで注意深く保持ピンの軸方向Ａに沿って押し込まれ、それによって固着される。
【００３４】
保持ピン１８は、近心的および遠心的に二つの小キャップ２５の外側に、および舌状に橋要素２６に接続される。保持ピン１８は、固定ねじ２０（示さない）でフレーム１０に固定される。
【００３５】
保持ピン１８と挿入したプレパレーション模型２２とを装備したフレームは、機械側面の締付けアダプター１６によって滑りと回転に対して固定されるように測定機内に挿入される。締付けアダプター１６は、好ましくは、測定機内の既定の位置を占めるように、マーキング、例えば平坦部あるいは横ピンを有する。
【００３６】
締付けの後、プレパレーション模型２２の最初に片側を、次に他の側を測定できる。保持ピン１８は、プレパレーション模型２２と一緒に測定され、その後ブランクから材料切除を行う際に加工力を確実に受けとめる役割を果たす。測定の際の保持力は小さく、主に加速力、重力および精々触覚測定の圧力が生じる。測定の後、プレパレーション模型２２と共にフレーム１０を測定機から取り外し、固定ねじ２０を緩め、保持ピン１８を回してプレパレーション模型２２から脱着する。フレーム１０および保持ピン１８は、それらが金属製かおよび／またはプラスチック材料製かには関係なく、再使用可能である。
【００３７】
挿入の際に、前述のように、結合剤３４、一般にはワックスまたは熱可塑性接着剤、を保持ピン１８の端面に塗布し、結合剤がプレパレーション模型２２に付いたときにこれが保持ピン１８を固定する。ピン１８が貫通孔１２に既に挿入されている場合でも、後で、プレパレーション模型２２に接触する少し前に保持ピン１８に結合剤３４を塗ることができる。
【００３８】
フレーム１０から外側に突き出た保持ピン１８は、好ましくは表面にそろえて切り取られる。
【００３９】
図５の実施態様によれば、雌ねじを有する孔１２が形成される。雄ねじ２８をつけた保持ピン１８をその中にねじ込む。斜めのスロット３０が、両矢印３２で示すように、ねじ回しで保持ピン１８を回すことを可能にする。今ひとつの両矢印３３は、保持ピン１８の軸の動きの方向を示す。
【００４０】
図６に示す変形によれば、保持ピン１８はフレーム１０内のの孔１２に遊びをもたせて挿入（動きばめ）される。保持ピン１８は軸方向Ａに自由に変位可能であり、これは両矢印３３で示される。固定は、結合剤３４、ワックスまたは接着剤、によって行い、結合剤は部分的にフレームと保持ピンとの隙間に入り込み、これが良好な固定を保証する。
【００４１】
図７では、視線の方向は保持ピン１８の縦方向にあり、保持ピン１８は同様にフレーム１０内の孔１２に緩く挿入される。ここでは、保持ピン１８は固定ねじ２０で固定される。
【００４２】
あらゆる固定の可能性を自由に組み合わせることができる。保持ピン１８を、その軸方向Ａの変位によってプレパレーション模型２２（図３）に押しつけることができ、そこに置き、次にフレーム内に固定させることができるという特性は重要である。
【００４３】
図８に示す更なる変形によれば、保持ピン１８を玉継手ヘッド３６によってフレーム１０の対応する継手ソケット３８内に取り付けることができる。プレパレーション模型２２（図３）を締着する際に保持ピン１８を軸方向Ａに挿入できる。玉継手３６は回転する能力があるので、保持ピン１８は、二つの交差する両矢印４０で示すように、互いに直線的に独立な２方向に旋回できる。結合剤３４がプレパレーション模型２２（図３）の表面上で硬化した後、保持ピン１８を結合剤３４によって玉継手ヘッド３６の中央の孔４２に固定し、次に玉継手ヘッド３６を固定ねじ４４でロックする。くぼみ６０が保持ピン１８の両矢印４０の方向への旋回の範囲を限定する。
【００４４】
図９は、２部品からなるフレーム１０の断面を示す。ダブテール案内４９によって保持されるスライド４８は、固定案内レール４６上を滑動する。スライド４８は、ダブテール案内４９に沿って自由に変位することができ、固定ねじ５０でどの位置にでもロックできる。玉継手ヘッド３６または旋回可能な円柱５２をスライド４８の相当するくぼみに取り付ける。このようにして、両矢印の方向Ａに軸方向の変位が可能な保持ピン１８を、その端面を結合剤３４で覆って、フレーム内のどの位置にでももってくることができる。両矢印３３の方向への変位は設計によって限定される。プレパレーション模型２２（図３）上で結合剤３４が硬化した後、保持ピン１８については結合剤３４で、玉継手ヘッド３６または旋回可能な円柱５２については固定ねじ４４で、両矢印５４の方向に変位可能なスライド４８については固定ねじ５０で、ロッキングが行われる。
【００４５】
図１０は、図９に示す玉継手３６を有する変形を別の視角から視た図である。
【００４６】
図１１は、断面が円柱状の固定案内レール４６と、その上で自由に変位・回転できる中空円柱状のスライド４８とを有する更なる変形を示す。スライド４８の変位は両矢印５４の方向で、回転は両矢印５８の方向で行われる。両矢印３３の方向で軸方向Ａに変位しうる保持ピンは、従ってプレパレーション模型２２（図３）の表面上のどの点にでもその端面を合わせることができる。プレパレーション模型２２の表面上で結合剤３４が硬化した後、固定ねじ４４と５０を締めて保持ピン１８とスライド４８を固定する。
【００４７】
図１２、１３は、フレーム１０に取り付けられた、フレーム面上に延びる旋回軸Ｓを有する円柱５２を示す。旋回軸Ｓはまた、関連する内面１４に平行に延びている。保持ピン１８は、円柱５２内で軸方向に変位可能に案内され、保持ピン１８を両矢印５８の方向に旋回させ、結合剤３４で固定することができる。両矢印５８の方向への旋回運動は、円柱状ころ軸受６２を有するくぼみ６０の寸法によって制限される。円柱５２の旋回位置は、固定ねじ４４によって制限される。
【００４８】
図１４、１５は、実質的に前の二つの図に対応する。しかし、円柱５２の軸Ｓは、フレームの面に対して垂直に、関連する内面１４に対して平行に延びている。
【００４９】
図１２乃至１５による全ての実施態様において、円柱当たり２個以上の保持ピン１８を配置できることは明らかである。
【図１】
0004261183.tif 000002
【図２】
0004261183.tif 000003
【図３】
0004261183.tif 000004
【図４】
0004261183.tif 000005
【図５】
0004261183.tif 000006
【図６】
0004261183.tif 000007
【図７】
0004261183.tif 000008
【図８】
0004261183.tif 000009
【図９】
0004261183.tif 000010
【図１０】
0004261183.tif 000011
【図１１】
0004261183.tif 000012
【図１２】
0004261183.tif 000013
【図１３】
0004261183.tif 000014
【図１４】
0004261183.tif 000015
【図１５】
0004261183.tif 000016